(57)【特許請求の範囲】
【請求項１】
昇降路に沿って昇降動される昇降体と、
前記昇降体から前記昇降路の底に向けて垂れ下がるとともに、その下端に折り返し部を有する変位可能な懸垂物と、
前記昇降路の底に設けられ、非常時に前記昇降体を受け止めるバッファと、
前記昇降路の底から上向きに突出された支柱と、前記支柱の上端に設けられ、前記支柱の外周面よりも前記支柱の径方向に沿う外側に向けて張り出すとともに、前記バッファの下端が締結具を介して固定された支持部材と、を含み、前記昇降路の底に対する前記バッファの高さを調節するように前記昇降路の底と前記バッファとの間に介在されたスタンドと、
前記懸垂物と向かい合うように前記支持部材から下向きに延出されて、前記折り返し部を含む前記懸垂物の下端が前記スタンドと干渉し合うのを防ぐガイド板と、を具備し、
前記ガイド板は、前記スタンドの前記支持部材に前記締結具を介して固定されているとともに、前記支柱よりも全長が短く形成され、
さらに前記ガイド板は、前記スタンドの前記支持部材に前記締結具を介して固定された固定部と、前記支柱を外側から覆うように前記固定部から前記昇降路の底に向けて延出されたカバー部と、前記カバー部の下端から前記支柱に近づくように斜め下向きに延出されたガイド部と、を含むエレベータ。
【請求項２】
請求項１に記載のエレベータにおいて、前記ガイド部は、前記スタンドを前記支柱の径方向から見た時に、前記支柱と重なり合う位置まで延長された延長部を有するエレベータ。
【請求項３】
請求項１または２に記載のエレベータにおいて、前記締結具は、前記バッファの下端、前記支持部材および前記ガイド板の前記固定部を貫通する雄ねじ部材と、雄ねじ部材の先端にねじ込まれた雌ねじ部材と、を含むエレベータ。
【請求項４】
請求項３に記載のエレベータにおいて、前記ガイド板の前記固定部は、前記雄ねじ部材が貫通する通孔を有し、当該通孔は、前記固定部の外周縁に開口するように切り欠かれた形状を有するエレベータ。
【請求項５】
請求項１に記載のエレベータにおいて、前記ガイド板は、複数の分割片に分けられているとともに、各分割片は、互いに間隔を存して横方向に並ぶように前記締結具を介して前記支持部材に固定されたエレベータ。
【請求項６】
昇降路に沿って昇降動される昇降体と、
前記昇降体から前記昇降路の底に向けて垂れ下がるとともに、その下端に折り返し部を有する変位可能な懸垂物と、を含むエレベータに用いられる緩衝装置であって、
前記昇降路の底から上向きに突出された支柱と、前記支柱の上端に設けられ、前記支柱の外周面よりも前記支柱の径方向に沿う外側に向けて張り出す支持部材と、を有するスタンドと、
前記支柱の前記支持部材に締結具を介して固定され、非常時に前記昇降体を受け止めるバッファと、
前記懸垂物と向かい合うように前記支持部材から下向きに延出され、前記折り返し部を含む前記懸垂物の下端が前記スタンドと干渉し合うのを防ぐガイド板と、を具備し、
前記ガイド板は、前記スタンドの前記支持部材に対し前記締結具を介して固定されているとともに、前記支柱よりも全長が短く形成され、
さらに前記ガイド板は、前記スタンドの前記支持部材に前記締結具を介して固定された固定部と、前記支柱を外側から覆うように前記固定部から前記昇降路の底に向けて延びるカバー部と、前記カバー部の下端から前記支柱に近づくように斜め下向きに延出されたガイド部と、を含むエレベータの緩衝装置。
【請求項７】
請求項６に記載のエレベータの緩衝装置において、前記締結具は、前記バッファの下端、前記支持部材および前記ガイド板の前記固定部を貫通するボルトと、前記ボルトの先端にねじ込まれたナットと、を含むエレベータの緩衝装置。
【発明の詳細な説明】
【技術分野】
【０００１】
本発明の実施形態は、昇降路の底にバッファを設けたエレベータおよびバッファを支持するスタンドを備えたエレベータの緩衝装置に関する。
【背景技術】
【０００２】
エレベータは、乗りかごが何らかの原因で最下階を通り過ぎた場合に、衝撃を抑えながら乗りかごを停止させるバッファを装備している。バッファは、昇降路のピットの底にスタンドを介して設置されている。スタンドは、ピットの底に対するバッファの高さを調節するための要素であり、ピットの底に固定された固定板と、固定板から上向き突出された支柱と、支柱の上端に固定された支持板と、を備えている。支持板は、支柱の周囲に張り出す四角い板であり、当該支持板の上にバッファが固定されている。
【０００３】
一方、乗りかごが昇降路の最下階の付近に移動されると、乗りかごから垂れ下がったテールコードやコンペンセーティングチェーンのような垂下物の下端がピットに入り込んで、スタンドと隣り合った状態となる。
【０００４】
このため、例えば地震等により垂下物が揺れ動いた場合に、垂下物の下端がスタンドに引っ掛かることがあり、そのままの状態で乗りかごが上昇を開始すると、垂下物が切れたり、スタンドが破損する原因となることがあり得る。
【０００５】
これを防止するため、従来のスタンドでは、支柱の外側にガイド板が配置されている。ガイド板は、支柱の全長に亘る長さを有する帯状の要素であって、固定板の縁部と支持板の縁部との間に跨って固定されている。このため、垂下物が揺れ動いた場合でも、垂下物の下端はガイド板に接するに止まり、垂下物の下端がスタンドに引っ掛かったり、支持板の下方に入り込むのを回避することができる。
【先行技術文献】
【特許文献】
【０００６】
【特許文献１】特開２００９−６２１８０号公報
【発明の概要】
【発明が解決しようとする課題】
【０００７】
スタンドの高さは、エレベータの仕様に応じて決定されるために、スタンドの固定板と支持板との間に跨るガイド板にしても、スタンド毎に長さが異なったものとなる。
【０００８】
このため、従来の構成では、スタンド毎にスタンドの高さに応じた専用のガイド板を準備しなくてはならない。よって、ガイド板を製造する作業に手間を要したり、部品管理が面倒となるのを否めない。
【０００９】
加えて、従来では、スタンド毎に長さが異なるガイド板をスタンドの固定板および支持板に対し一つ一つ手作業で溶接しているので、ガイド板をスタンドに取り付ける作業に多大な手間と労力を要している。
【００１０】
本発明の目的は、スタンドの高さに左右されることなくガイド板を共通化することができ、しかも、ガイド板をスタンドに対し簡単に固定することができ、作業性に優れたエレベータおよびエレベータの緩衝装置を得ることにある。
【課題を解決するための手段】
【００１１】
実施形態によれば、エレベータは、昇降体から垂れ下がるとともに、その下端に折り返し部を有する変位可能な懸垂物と、昇降路の底に設けられたバッファと、昇降路の底とバッファとの間に介在されたスタンドと、を備えている。スタンドは、昇降路の底から上向きに突出された支柱と、支柱の上端に設けられ、支柱の外周面よりも支柱の径方向に沿う外側に向けて張り出すとともに、バッファの下端が締結具を介して固定された支持部材と、を含む。ガイド板がスタンドの支持部材に締結具を介して固定されている。ガイド板は、懸垂物と向かい合うように支持部材から下向きに延出されて、折り返し部を含む懸垂物の下端がスタンドと干渉し合うのを防ぐとともに、支柱よりも全長が短く形成されている。ガイド板は、スタンドの支持部材に締結具を介して固定された固定部と、支柱を外側から覆うように固定部から昇降路の底に向けて延びるカバー部と、カバー部の下端から支柱に近づくように斜め下向きに延出されたガイド部とを有している。
【図面の簡単な説明】
【００１２】
【図１】第１の実施形態に係るエレベータを模式的に示す側面図。
【図２】昇降路のピットの底にスタンドを介してバッファを設置した状態を示す斜視図。
【図３】図２のＦ３−Ｆ３線に沿う断面図。
【図４】（Ａ）は、スタンドの上にバッファを固定した状態を示す側面図。（Ｂ）は、図４（Ａ）を矢印Ｂの方向から見た側面図。
【図５】スタンドの支持板にガイド板を固定した状態を一部断面で示す側面図。
【図６】バッファの平面図。
【図７】第１の実施形態で用いるガイド板の斜視図。
【図８】第２の実施形態で用いるガイド板の斜視図。
【図９】第３の実施形態で用いるガイド板の斜視図。
【図１０】第４の実施形態において、スタンドの上にバッファを固定した状態を示す側面図。
【図１１】第１の実施形態と関連性を有する参考例の斜視図。
【図１２】第１の実施形態と関連性を有する参考例の平面図。
【発明を実施するための形態】
【００１３】
［第１の実施形態］
以下、第１の実施形態について、図１ないし図７を参照して説明する。
【００１４】
図１は、トラクション方式のエレベータ１を概略的に示している。図１に示すように、エレベータ１は、昇降路２の上端に機械室３を有している。昇降路２には、乗りかご４およびカウンターウエイト５が図示しないガイドレールを介して昇降動可能に支持されている。乗りかご４およびカウンターウエイト５は、昇降体の一例である。
【００１５】
機械室３に巻上機６が据え付けられている。巻上機６は、メインロープ７を介して乗りかご４およびカウンターウエイト５を昇降路２に吊り下げている。巻上機６は、メインロープ７を巻き上げたり巻き戻すことで、乗りかご４およびカウンターウエイト５を昇降路２に沿って昇降動させるように構成されている。
【００１６】
乗りかご４の底部とカウンターウエイト５の下端部との間にコンペンセーティングチェーン８が架け渡されている。コンペンセーティングチェーン８は、乗りかご４およびカウンターウエイト５から昇降路２内に垂れ下がるとともに、その下端に上向きに反転されたＵ字状の折り返し部８ａを有している。
【００１７】
さらに、乗りかご４の底部にテールコード９が接続されている。テールコード９は、乗りかご４と昇降路２に設置された制御盤との間を電気的に接続する電線の束であって、乗りかご４の底部から昇降路２内に垂れ下がっている。テールコード９は、その下端に上向きに反転されたＵ字状の折り返し部９ａを有している。
【００１８】
コンペンセーティングチェーン８およびテールコード９は、昇降体から垂れ下がった懸垂物の一例であって、コンペンセーティングチェーン８の折り返し部８ａおよびテールコード９の折り返し部９ａは、夫々変位可能な自由端となっている。
【００１９】
図１に示すように、乗りかご４が建物の最下階の付近に移動された状態では、コンペンセーティングチェーン８の折り返し部８ａおよびテールコード９の折り返し部９ａが昇降路２の下端のピット１０に入り込んでいる。ピット１０は、最下階よりも下方に位置されている。
【００２０】
図１に示すように、昇降路２のピット１０に第１のバッファ１２および第２のバッファ１３が設置されている。第１のバッファ１２は、乗りかご２が予期せぬ原因で最下階を通り過ぎた場合に、乗りかご２を下方から受け止める非常用の安全装置である。同様に、第２のバッファ１３は、カウンターウエイト５が予期せぬ原因で最下階を通り過ぎた場合に、カウンターウエイト５を下方から受け止める非常用の安全装置である。
【００２１】
第１のバッファ１２および第２のバッファ１３は、夫々スタンド１４を介してピット１０の底１０ａに起立した姿勢で支持されている。第１および第２のバッファ１２，１３は、互いに共通の支持構造を有するので、本実施形態では、第１のバッファ１２を代表して説明する。
【００２２】
図２、図４および図６に示すように、第１のバッファ１２は、シリンダ１６およびプランジャ１７を備えている。シリンダ１６は、オイルが封入された筒状のシリンダボディ１８と、シリンダボディ１８の下端に形成された取り付け座１９とを有している。取り付け座１９は、四つの角部を有する四角い板であり、取り付け座１９の周縁部がシリンダボディ１８の周囲に張り出している。
【００２３】
プランジャ１７は、シリンダボディ１８の軸方向に移動可能にシリンダボディ１８に支持されているとともに、図示しないスプリングによりシリンダボディ１８の上端から突出する方向に付勢されている。さらに、プランジャ１７の突出端に円盤状の緩衝ゴム２０が取り付けられている。
【００２４】
スタンド１４は、ピット１０の底１０ａに対する第１のバッファ１２の高さを調節するための要素であり、ピット１０の底１０ａと第１のバッファ１２との間に介在されている。
【００２５】
図２ないし図４に示すように、スタンド１４は、支柱２２、固定板２３および支持板２４を備えている。支柱２２は、円筒状であり、昇降路２の高さ方向に沿う全長Ｌ１を有している。支柱２２の全長Ｌ１は、エレベータ１の仕様に応じて適宜設定される。
【００２６】
固定板２３は、支柱２２の下端部に固定されている。固定板２３は、四つの角部を有する四角い板であり、その外周縁部が支柱２２の周囲に張り出している。支持板２４は、支持部材の一例であって、支柱２２の上端部に固定されている。支持板２４は、四つの角部を有する四角い板であり、その外周縁部が支柱２２の周囲に張り出している。本実施形態では、支持板２４は、第１のバッファ１２の取り付け座１９と同じ大きさを有している。
【００２７】
スタンド１４の固定板２３は、ピット１０の底１０ａに据え付けられている。具体的に述べると、本実施形態では、ピット１０の底１０ａに一対の梁２５ａ，２５ｂおよび受け座２６が固定されている。梁２５ａ，２５ｂは、乗りかご４の幅方向に水平に延びているとともに、互いに間隔を存して平行に配置されている。梁２５ａ，２５ｂの間は、リブ２７で互いに結合されている。さらに、梁２５ａ，２５ｂは、ピット１０の底１０ａで乗りかご４の昇降動を案内する一対のガイドレールの下端の間を結んでいる。
【００２８】
受け座２６は、一方の梁２５ａと隣り合うようにピット１０の底１０ａに固定されている。梁２５ａの上面と受け座２６の上面との間に跨ってバッファ台２８が固定されている。バッファ台２８は、四つの角部を有する四角い板であり、スタンド１４の固定板２３と同じ大きさを有している。
【００２９】
スタンド１４の固定板２３は、四本のボルト２９および四つのナット３０を介してバッファ台２８の上面に固定されている。ボルト２９は、固定板２３の角部およびバッファ台２８の角部を貫通してバッファ台２８の下方に突出されている。ナット３０は、ボルト２９の先端にねじ込まれて、ボルト２９の頭部２９ａとの間で固定板２３およびバッファ台２８を挟み込んでいる。
【００３０】
これにより、スタンド１４は、ピット１０の底１０ａから乗りかご４の底部に向けて垂直に起立された姿勢でピット１０の底１０ａに固定されている。
【００３１】
図２、図４および図５に示すように、第１のバッファ１２の取り付け座１９は、その角部を支持板２４の角部と合致させた状態で支持板２４の上面に重ね合わされている。さらに、取り付け座１９は、四本のボルト３１およびナット３２を介して支持板２４の上面に固定されている。
【００３２】
ボルト３１は、雄ねじ部材の一例であって、取り付け座１９の角部および支持板２４の角部を貫通して支持板２４の下方に突出されている。ナット３２は、雌ねじ部材の一例であり、ボルト３１の先端にねじ込まれて、ボルト３１の頭部３１ａとの間で取り付け座１９および支持板２４を挟み込んでいる。本実施形態では、ボルト３１およびナット３２が互いに協働して締結具を構成している。
【００３３】
この結果、第１のバッファ１２がスタンド１４の上端に同軸状に固定されて、プランジャ１７の上端に位置された緩衝ゴム２０が乗りかご４の底部と向かい合っている。
【００３４】
図２、図４および図５に示すように、ガイド板３４がスタンド１４の支持板２４に取り付けられている。ガイド板３４は、折り返し部９ａを含むテールコード９の下端がスタンド１４に引っ掛かるのを防ぐための要素である。図７に示すように、本実施形態のガイド板３４は、固定部３５、カバー部３６およびガイド部３７を一体に備えている。
【００３５】
固定部３５は、支持板２４の下面に重ね合わされるとともに、隣り合う二本のボルト３１が貫通する一対の通孔３８ａ，３８ｂを有している。カバー部３６は、固定部３５の縁からピット１０の底１０ａに向けて垂直に延出されているとともに、支持板２４の一側縁の全長に亘る幅寸法を有している。そのため、カバー部３６は、支柱２２の上部を外側から覆っている。
【００３６】
ガイド部３７は、カバー部３６の下端から支柱２２に近づくように斜め下向きに延出されている。そのため、ガイド部３７は、カバー部３６に対し所定の角度αだけ傾いている。本実施形態のガイド部３７は、支柱２２に向けて先細り状に形成されている。ガイド部３７の先端３７ａは、支柱２２の外周面に近接もしくは接している。さらに、カバー部３６からガイド部３７の先端３７ａに至るガイド板３４の垂直方向に沿う全長Ｌ２は、支柱２２の全長Ｌ１よりも短く形成されている。
【００３７】
ガイド板３４の固定部３５を支持板２４の下面に重ね合わせた状態では、ボルト３１の先端が固定部３５の通孔３８ａ，３８ｂを貫通している。ボルト３１の先端にねじ込まれたナット３２は、支持板２４の下面との間で固定部３５を挟み込んでいる。したがって、ガイド板３４は、第１のバッファ１２をスタンド１４に固定するボルト３１およびナット３２を利用してスタンド１４に共締めされている。
【００３８】
なお、第２のバッファ１３を支えるスタンド１４には、折り返し部８ａを含むコンペンセーティングチェーン８の下端がスタンド１４に引っ掛かるのを防ぐガイド板３４が共締めされている。ガイド板３４の構成は、第１のバッファ１２を支えるスタンド１４のガイド板３４と同様である。
【００３９】
例えば地震が発生した場合、コンペンセーティングチェーン８の折り返し部８ａあるいはテールコード９の折り返し部９ａがスタンド１４の支持板２４の下方に入り込むように揺れ動くことがあり得る。この時に例えば乗りかご４が上昇を開始すると、乗りかご４に追従してテールコード９の折り返し部９ａが上昇し、折り返し部９ａがスタンド１４の支持板２４の周縁部に引っ掛かることが懸念される。
【００４０】
しかるに、第１の実施形態によると、ガイド板３４のカバー部３６が支持板２４の側縁部から下向きに延出されているとともに、カバー部３６の下端に支柱２２に近づくように斜め下向きに延出されたガイド部３７が形成されている。
【００４１】
このため、図５に示すように、テールコード９の折り返し部９ａが支柱２２に沿って上昇したとしても、折り返し部９ａがガイド部３７の先端３７ａの位置に達した時に、折り返し部９ａは傾斜されたガイド部３７に乗り移ることで、ガイド部３７からカバー部３６を経て支持板２４を外れた位置に導かれる。
【００４２】
したがって、テールコード９の折り返し部９ａは、支持板２４に引っ掛かることなく滑らかにスタンド１４の外に抜け出ることになる。よって、乗りかご４の上昇に基づくテールコード９の断線およびスタンド１４の損傷を防止することができる。
【００４３】
第１の実施形態によれば、ガイド板３４の全長Ｌ２は、支柱２２の全長Ｌ１よりも短いので、単一のガイド板３４で多種多様の長さを有するスタンド１４に対応することができる。したがって、スタンド１４の高さに応じた専用のガイド板を準備する必要はなく、ガイド板３４を共通化することができる。よって、ガイド板３４を製造する作業が容易となるとともに、部品管理が煩雑化することもない。
【００４４】
さらに、ガイド板３４は、第１のバッファ１２（第２のバッファ１３）をスタンド１４に固定するボルト３１およびナット３２を利用してスタンド１４の支持板２４に共締めされている。そのため、従来の溶接に比べてガイド板３４をスタンド１４に簡単に固定することができ、作業性が向上する。
【００４５】
第１の実施形態のガイド板３４は、カバー部３６の下端から支柱２２に向けて延長されたガイド部３７を有している。ガイド部３７は、支柱２２の全長Ｌ１がガイド板３４の全長Ｌ２よりも遥かに長くて、例えばテールコード９の折り返し部９ａが支柱２２に沿って上昇するような場合に必須となる要素である。しかしながら、例えば支柱２２の全長Ｌ１とガイド板３４の全長Ｌ２との差異が極僅かである場合には、ガイド部３７を省略することができる。
【００４６】
言い換えると、例えばカバー部３６の下端がスタンド１４の固定板２３に対し限りなく近い位置にあって、カバー部３６の下端と固定板２３との間にテールコード９が入り込むことができないような場合には、ガイド部３７を省略してカバー部３６の下端を固定板２３に対向させるようにしてもよい。
【００４７】
［第２の実施形態］
図８は、第２の実施形態を開示している。第２の実施形態は、ガイド板３４の固定部３５の構成が第１の実施形態と相違している。それ以外のガイド板３４の構成は、第１の実施形態と同様である。
【００４８】
図８に示すように、ガイド板３４の固定部３５は、カバー部３６の反対側に位置された一対の縁部４１ａ，４１ｂを有している。さらに、固定部３５にボルト３１が貫通する通孔４２ａ，４２ｂが形成されている。通孔４２ａ，４２ｂは、夫々固定部３５の縁部４１ａ，４１ｂに開口するように切り欠かれた溝形状を有している。
【００４９】
ガイド板３４を支持板２４の下面に固定するには、まずナット３２を緩めてナット３２と支持板２４の下面との間に隙間を形成する。この後、ナット３２と支持板２４の下面との間の隙間に固定部３５の縁部４１ａ，４１ｂを差し込んで、通孔４２ａ，４２ｂ内にボルト３１を導く。引き続いて、ナット３２を締め付ける。これにより、ナット３２と支持板２４の下面との間で固定部３５が挟み込まれ、スタンド１４に対するガイド板３４の固定作業が完了する。
【００５０】
第２の実施形態によると、ナット３２をボルト３１から取り外すことなくガイド板３４をスタンド１４の支持板２４に固定することができる。そのため、第１のバッファ１２（第２のバッファ１３）をスタンド１４に仮止めした状態でガイド板３４の固定作業および取り外し作業を実行することができる。
【００５１】
さらに、ガイド板３４をその向きを間違えて支持板２４に固定した場合でも、ナット３２を緩めて固定部３５の締め付けを解除するだけの作業で、ガイド板３４をスタンド１４から取り外すことができる。
【００５２】
したがって、スタンド１４から第１のバッファ１２（第２のバッファ１３）を取り外すことなく、ガイド板３４の向きを変更して支持板２４の正規の位置に再度取り付けることができる。
【００５３】
［第３の実施形態］
図９は、第３の実施形態を開示している。第３の実施形態は、ガイド板３４が一対の分割片５１ａ，５１ｂに分割されている点が第１の実施形態と相違しており、それ以外の構成は第１の実施形態と同様である。
【００５４】
図９に示すように、分割片５１ａ，５１ｂは、夫々固定部５２、カバー部５３およびガイド部５４を一体に備えている。固定部５２は、支持板２４の角部の下面に重ね合わされるとともに、一本のボルト３１が貫通する通孔５５を有している。カバー部５３は、固定部５２の縁から下向きに垂直に延出されているとともに、支柱２２に対し支柱２２の径方向にずれている。ガイド部５４は、カバー部５３の下端から支柱に近づくように斜め下向きに延出されている。
【００５５】
一方の分割片５１ａの固定部５２は、支持板２４の一つの角部の下面にボルト３１およびナット３２を介して共締めされる。同様に、他方の分割片５１ｂの固定部５２は、支持板２４の他の角部の下面にボルト３１およびナット３２を介して共締めされる。この結果、分割片５１ａ，５１ｂは、支持板２４の横方向に互いに間隔を存して並ぶように支持板２４に固定される。
【００５６】
第３の実施形態では、ガイド板３４が一対の分割片５１ａ，５１ｂに分割され、これら分割片５１ａ，５１ｂが支持板２４の隣り合う角部の下面に個々に固定されている。このため、例えば支持板２４の大きさが変化した場合でも、分割片５１ａ，５１ｂを支持板２４に固定することができ、分割片５１ａ，５１ｂを支持板２４の大きさに左右されることなく共通化することができる。
【００５７】
この結果、支持板２４の大きさに対応した各種のガイド板３４を準備する必要はなく、ガイド板３４の生産性を高めることができる。
【００５８】
［第４の実施形態］
図１０は、第４の実施形態を開示している。第４の実施形態は、ガイド板３４のガイド部３７の形状が第１の実施形態と相違している。それ以外の構成は、第１の実施形態と同様である。
【００５９】
図１０に示すように、ガイド板３４のガイド部３７は、その先端から斜め下向きに一直線状に延長された延長部６１を有している。延長部６１は、支柱２２を避けるように支柱２２の径方向に沿う両側に振り分けられている。さらに、スタンド１４を支柱２２の径方向から見た時に、延長部６１は支柱２２と重なり合うような位置関係に保たれている。
【００６０】
第４の実施形態によると、例えばテールコード９の折り返し部９ａが支柱２２の外周面に突き当たる位置まで大きく揺れ動いた場合でも、折り返し部９ａの上方をガイド部３７の延長部６１が横切っている。
【００６１】
このため、折り返し部９ａが支柱２２の外周面に沿って上昇したとしても、折り返し部９ａは傾斜された延長部６１によって受け止められとともに、延長部６１からガイド部３７およびカバー部３６を経て支持板２４を外れた位置に導かれる。
【００６２】
したがって、テールコード９の折り返し部９ａがガイド部３７の先端に引っ掛かるのを防止することができる。
【００６３】
［参考例］
図１１および図１２は、第１の実施形態と関連性を有する参考例を開示している。参考例では、スタンド１４の上端に位置された支持板２４が真円の円盤状に形成されている。支持板２４の直径は、第１のバッファ１２（第２のバッファ１３）の取り付け座１９の対角線の長さと同等もしくは対角線の長さよりも若干大きく設定されている。そのため、支持板２４の円弧状に湾曲された外周縁部２４ａが取り付け座１９を取り囲むように取り付け座１９の周囲に張り出している。
【００６４】
このような構成によると、例えばテールコード９の折り返し部９ａが支持板２４の下方に入り込んだ状態でテールコード９が上昇を開始した場合、折り返し部９ａが支持板２４の外周縁部２４ａに引っ掛かろうとする。
【００６５】
しかるに、支持板２４の外周縁部２４ａは、角がない滑らかな円弧状に湾曲されているので、テールコード９の折り返し部９ａは、テールコード９の上昇に応じて支持板２４の外周縁部２４ａに引っ掛かることなく外周縁部２４ａに沿って移動し、最終的に支持板２４の外に自然に抜け出る。
【００６６】
したがって、第１の実施形態と同様に、テールコード９の断線およびスタンド１４の損傷を防止することができる。
【００６７】
さらに、参考例によると、スタンド１４の支持板２４を円盤状に形成するのみで、テールコード９のような懸垂物の引っ掛かりを防止できる。そのため、懸垂物の引っ掛かりを防止するガイド板のような専用の構成要素が不要となる。よって、スタンド１４の部品点数を削減できるとともに、スタンド１４の組み立て作業を簡素化することができるといった利点がある。
【００６８】
参考例では、支持板を真円の円盤状としたが、例えば支持板を楕円形としても同様の効果を得ることができる。
【００６９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７０】
２…昇降路、４，５…昇降体（乗りかご、カウンターウエイト）、８，９…懸垂物（コンペンセーティングチェーン、テールコード）、８ａ，９ａ…折り返し部、１０ａ…底、１２，１３…バッファ（第１のバッファ、第２のバッファ）、１４…スタンド、２２…支柱、２４…支持部材（支持板）、３１，３２…締結具（ボルト、ナット）、３４…ガイド板。
【図１】
0005535291.tif 000002
【図２】
0005535291.tif 000003
【図３】
0005535291.tif 000004
【図４】
0005535291.tif 000005
【図５】
0005535291.tif 000006
【図６】
0005535291.tif 000007
【図７】
0005535291.tif 000008
【図８】
0005535291.tif 000009
【図９】
0005535291.tif 000010
【図１０】
0005535291.tif 000011
【図１１】
0005535291.tif 000012
【図１２】
0005535291.tif 000013